(57)【要約】      （修正有）【課題】固体燃料の熱エネルギーを効率よく伝導して、火力を調整しながら一度に食材の調理とお酒等の飲み物を加温することができる固体燃料用携帯型コンロを提供する。【解決手段】コンロ本体１は、アルミニウム板で底面、側面、上面が形成され、上面には第一調理部１０と第二調理部２０が同じくアルミニウムで凹状に形成されている。第一調理部１０の凹部には筒状体１２が内嵌し、筒状体１２の中に木炭等の固体燃料１６を載せる火皿１４が挿入されている。そしてコンロ本体１の側面に設けられた吸気口４０から第一調理部の底部に続く形で空気供給路７０が形成されている。筒状体１２と底壁部を有する火皿１４には、第一調理部１０の内側の空気供給路７０の開口面と同形の切欠部があり、空気はこの２つの切欠部を経由して固体燃料１６に供給される。このとき筒状体１２を回転させれば、第一調理部１０の内側の空気供給路７０の開口面の一部を筒状体１２の底壁部が塞ぐことで、供給される空気量を加減することができる。【選択図】図２
0003193322.tif 000002
【実用新案登録請求の範囲】
【請求項１】
熱伝導性の良い第一の金属材料で構成されたコンロ本体と、
前記コンロ本体の上面に少なくとも１個以上形成された固体燃料を燃焼させて焼き物、煮物を調理する断面が凹状の第一調理部と、
前記コンロ本体の上面に少なくとも１個以上形成された前記第一調理部に収容されて燃焼する固体燃料の熱により前記コンロ本体内に収容される水を沸かしてお酒等の飲み物の加温を行う断面が凹状の第二調理部と、
前記第一調理部及び前記第二調理部の周囲を覆うように前記コンロ本体の内部に形成された水の循環路と、
前記コンロ本体の上面に設けられた前記水の循環路に連通する給水口と、
前記第一調理部と前記第二調理部との間を接続した熱伝導性の良い第二の金属材料からなる熱伝導体と、
を備えた固体燃料用携帯型コンロであって、
前記第一調理部に前記第一調理部の凹部に内嵌する筒状体と前記筒状体の内側下部に配され、前記固体燃料を載置する火皿とを有し、
前記コンロ本体に前記コンロ本体外面に設けられた吸気口と前記吸気口から前記第一調理部の下部を経由して前記筒状体の下部に連通する空気供給路を有し、
前記空気供給路は吸気量の調整機能を有することを特徴とする固体燃料用携帯型コンロ。
【請求項２】
前記熱伝導性の良い第一の金属材料と第二の金属材料がアルミニウム板であることを特徴とする請求項１に記載の固体燃料用携帯型コンロ。
【請求項３】
前記コンロ本体の外面に前記水の循環路と連通する水の注ぎ口を設けたことを特徴とする請求項１又は２に記載の固体燃料用携帯型コンロ。
【請求項４】
前記コンロ本体に提手を設けたことを特徴とする請求項１〜３に記載の固体燃料用携帯型コンロ。
【考案の詳細な説明】
【技術分野】
【０００１】
本考案は、固体燃料用携帯型コンロに関するものである。
【背景技術】
【０００２】
従来、場所を移動できる携帯型のコンロとしては、七輪、カセットコンロ、電気コンロがある。そして、これらのコンロは鍋やフライパン、網を用いて食材を煮炊きするものであり、食材の煮炊きと同時にお酒等の飲み物の加温ができる便利なコンロはなかった。
そこで、食材の調理とお酒等の飲み物の加温を同時にできるコンロが提案されている。その一例として、特開平９−３１０８５４号広報（以下「特許文献１」という。）が挙げられる。この卓上式コンロは熱伝導性の良い金属材料で構成したコンロ本体の上面部に炭火を入れて焼き物、煮物を調理する第一調理部と、第一調理部に収容される炭火の熱によりコンロ本体に収容される水を沸かして蒸し物、加温を行う第二調理部とを備えるもので、炭火の熱と炭火で沸かされたお湯により、一度に焼き物、煮物、蒸し物及びお酒等の飲み物を加温することができるものである。
【先行技術文献】
【特許文献】
【０００３】
【特許文献１】特開平９−３１０８５４号公報
【考案の概要】
【考案が解決しようとする課題】
【０００４】
しかし、特許文献１の卓上式コンロでは、熱源のない第二調理部へはお湯を介しての熱伝導が主になるため、熱の伝導効率が優れているとはいえない。また、火格子の上に載置された炭火へ供給される空気量の加減ができないため、火力の調整をすることができないという欠点があった。
【０００５】
そこで、本考案は、木炭等の固体燃料を用いて調理を行うと共に、燃焼する固体燃料の熱エネルギーを効率よく伝導してお酒等の飲み物の加温にも用い、火力を調整しながら一度に食材の調理とお酒等の飲み物を加温することができる固体燃料用携帯型コンロを提供することを目的としている。
【課題を解決するための手段】
【０００６】
上記目的を達するために、本考案に係る固体燃料用携帯型コンロは、熱伝導性の良いコンロ本体の上面に、固体燃料を燃焼させて食材を調理する第一調理部と、その固体燃料の熱をお湯と熱伝導体から供給されてお酒等の飲み物を加温する第二調理部とを設けて、コンロ本体に固体燃料への空気の供給量の調整機能を持たせたことを特徴とする。
【０００７】
すなわち、第１の本考案は、熱伝導性の良い第一の金属材料で構成されたコンロ本体と、前記コンロ本体の上面に少なくとも１個以上形成された固体燃料を燃焼させて焼き物、煮物を調理する断面が凹状の第一調理部と、前記コンロ本体の上面に少なくとも１個以上形成された前記第一調理部に収容されて燃焼する固体燃料の熱により前記コンロ本体内に収容される水を沸かしてお酒等の飲み物の加温を行う断面が凹状の第二調理部と、前記第一調理部及び前記第二調理部の周囲を覆うように前記コンロ本体の内部に形成された水の循環路と、前記コンロ本体の上面に設けられた前記水の循環路に連通する給水口と、前記第一調理部と前記第二調理部との間を接続した熱伝導性の良い第二の金属材料からなる熱伝導体と、を備えた固体燃料用携帯型コンロであって、前記第一調理部に前記第一調理部の凹部に内嵌する筒状体と前記筒状体の内側下部に配され、前記固体燃料を載置する火皿とを有し、前記コンロ本体に前記コンロ本体外面に設けられた吸気口と前記吸気口から前記第一調理部の下部を経由して前記筒状体の下部に連通する空気供給路を有し、前記空気供給路は吸気量の調整機能を有することを特徴とする固体燃料用携帯型コンロである。
【０００８】
第１の本考案に係る固体燃料用携帯型コンロは、上記のように構成され、熱伝導性の良い金属材料で構成されたコンロ本体の上面に、燃焼する固体燃料の熱で食材を直接調理する第一調理部と、固体燃料の熱で沸かされた湯と固体燃料の熱を伝える熱伝導体から供給される熱によりお酒等の飲み物を加温する第二調理部とを設けて、食材の調理とお酒等の飲み物の加温を同時に行えるものである。
すなわち、第一調理部の凹部に内嵌する筒状体内の火皿に固体燃料を載置し、この燃焼する固体燃料の熱により第一調理部上に焼網や鍋を介して置かれた食材を調理する一方、第二調理部では、本調理部と第一調理部を取り囲むように設けられた水の循環路に給水口から充填され、固体燃料の熱により沸かされたお湯の熱と、第一調理部と第二調理部の間を熱的に接続した熱伝導体が運ぶ熱により、お酒等の飲み物の加温を同時に行うものである。
なお、固体燃料とは、木炭、練炭、アルコール由来の固形燃料等、火皿に載置して燃焼させることのできる燃料である。
【０００９】
そして、この固体燃料用携帯型コンロは、固体燃料へ空気を効率的に供給するために、コンロ本体の外面に吸気口が設けられ、その吸気口から第一調理部内の下部まで空気供給路が形成されている。第一調理部に内嵌する筒状体の下部には空気供給路の断面と同じ形状の切欠部があり、第一調理部まで供給された空気は、その切欠部を通じて火皿の上に載置された固体燃料まで供給される。従って火皿は筒状体の下部の切欠部から流入した空気が固体燃料まで届く構造を有している。
【００１０】
さらに、この空気供給路は吸気量を調整できる機能を備えている。吸気量を調整できる機能は、例えば吸気口にスライド式の扉を設けることや、第一調理部内の筒状体を回転させて筒状体の切欠部と空気供給路とで形成される開口面積を変えることで実現できる。さらに、火皿の下部を筒状としその一部に切欠部を設けて、火皿を回転させることで、この切欠部と筒状体の切欠部と空気供給路とで形成される開口面積を変えることでも実現できる。この機能により火力の調整が可能となり多様な調理に対応できる。例えば、魚の干物を焼くときには吸気口を少しだけ開いて弱火にし、焼肉では吸気口を全開にして強火にするといった使い方である。
【００１１】
また、第２の本考案は、第１の本考案に係る熱伝導性の良い第一の金属材料と第二の金属材料がアルミニウム板であることを特徴とする固体燃料用携帯型コンロである。
熱伝導性の良い金属材料を、１００℃における熱伝導性の高い順に列挙すると、銀、銅、金、アルミニウム、タングステン、インジウム、亜鉛となるが、この中でアルミニウムは、軽さやコストの面でも優れているからである。
第一の金属材料と第二の金属材料にアルミニウム板を用いることにより、熱効率が良く軽いうえにコストを抑えた固体燃料用携帯型コンロを提供することができる。
【００１２】
さらに第３の本考案は、第１または第２の本考案に係るコンロ本体の外面に水の循環路と連通する水の注ぎ口を設けたことを特徴とする固体燃料用携帯型コンロである。
【００１３】
コンロ本体の外面に水の注ぎ口があることで、固体燃料の熱により沸いたお湯を湯飲みや茶碗などに注ぐことができる。
【００１４】
さらに第４の本考案は、第１〜第３の本考案に係るコンロ本体に提手を設けたことを特徴とする固体燃料用携帯型コンロである。提手があることで、片手で容易に携行することができる。
【考案の効果】
【００１５】
本考案に係る固体燃料用携帯型コンロは、固体燃料を用いて食材の調理が行えると共に固体燃料の熱エネルギーを効率よく伝導して、そのエネルギーをお酒等の飲み物の加温にも利用することで、火力を調整しながら一度に食材の調理とお酒等の飲み物を加温することができる。
【図面の簡単な説明】
【００１６】
【図１】本考案の実施形態を示す全体斜視図である。
【図２】図１の分解斜視図である。
【図３】コンロ本体の平面図である。
【図４】図３のＡ−Ａ線断面図である。
【図５】本考案の他の実施形態を示す全体斜視図である。
【考案を実施するための形態】
【００１７】
以下本考案の実施の形態を図面を参照して説明する。
【００１８】
図１は、本考案の実施形態を示す全体斜視図であって、焼網や鍋等を調理部に載せていない状態を示している。図２は図１の分解斜視図、図３はコンロ本体の平面図、図４は図３のＡ―Ａ線の矢印方向に見た断面図である。そして図５は図１の第一調理部に焼網、第二調理部にチロリを載せた実施形態を示している。
【００１９】
図１、図２に示すようにコンロ本体１は、アルミニウム板で底面、側面、上面が形成され、上面には第一調理部１０と第二調理部２０が同じくアルミニウムで凹状に形成されている。第一調理部１０の凹部には筒状体１２が内嵌し、筒状体１２の中に木炭等の固体燃料１６を載せる火皿１４が挿入されている。
そしてコンロ本体１の側面に設けられた吸気口４０から第一調理部の底部に続く形で空気供給路７０が形成されている。筒状体１２と底壁部を有する火皿１４には、第一調理部１０の内側の空気供給路７０の開口面と同形の切欠部があり、空気はこの２つの切欠部を経由して固体燃料１６に供給される。
このとき筒状体１２を回転させれば、第一調理部１０の内側の空気供給路７０の開口面の一部を筒状体１２の底壁部が塞ぐことで、供給される空気量を加減することができる。さらに火皿１４を回転させることでも、第一調理部１０内側の空気供給路７０の開口面と筒状体１２の切欠部により形成された空気供給路の一部を、火皿１４の底壁部が塞ぐことで供給される空気量を加減することができる。なお、筒状体１２は燃焼する固体燃料１６の熱に耐えられるようにステンレス製である。
【００２０】
図２、図３、図４に示すように、コンロ本体１の内部は空洞になっており、その空洞内に第一調理部１０と第二調理部２０の双方が、アルミニウム板で形成された熱伝導体６０の上に載せられている。そしてコンロ本体１の上面には給水口３０が設けられ、ここから第一調理部１０と第二調理部２０の周囲を取り囲むように形成された水の循環路３４に水Ｗが給水される。
【００２１】
火皿１４には固体燃料１６が載置され、燃焼する固体燃料１６の熱は第一調理部１０の上に載せられた食材を調理すると同時に、水Ｗと熱伝導体６０の双方から伝導して、第二調理部を加熱する。燃焼する固体燃料１６の火力は前述のとおり、筒状体１２または火皿１４を回転させることによって調整される。
【００２２】
また、燃焼する固体燃料１６の熱で加熱されてお湯となった水Ｗは提手８０を手で持って、コンロ本体１に設けられた注ぎ口５０から、湯飲みや茶碗、カップ麺等に注ぐことができる。
なお、本実施形態では第一調理部１０と第二調理部２０は各々一つずつ形成されているが、これらの数は特に限定されず、コンロ本体１の形状を大きくすれば、これらを複数個設けることも可能である。また、アルミニウム板から形成されたコンロ本体１の表面をフッ素樹脂やガラス繊維等によりコーティングしておくと、コンロ本体１の表面に付いた煮こぼれ等の汚れの固着を防止することができ、また錆の発生を抑えることができる。
【００２３】
次に図５により本考案に係る固体燃料用携帯型コンロの使用方法について説明する。図５は図１と同形状のコンロ本体１の第一調理部１０に焼網１８を載せ、第二調理部２０にお酒を入れたチロリ２２を載せた状態を示している。
コンロ本体１の内部は水Ｗで満たされており、第一調理部１０内の火皿１４に固体燃料１６を載置して、火が付けられる。そうすると燃焼する固体燃料１６の熱で焼網１８が加熱され、この焼網１８の上に肉類や野菜を載せると美味しく調理される。
同時に第二調理部は第一調理部１０から水Ｗと熱伝導体６０を通じて伝わった熱によりチロリ２２の中のお酒が温められる。
【００２４】
以上のように本発明の固体燃料用携帯型コンロは、あらゆる場所で複数の調理を同時に行うことができ、かつ木炭等の固体燃料を熱源に用いて火力の調整を行うことができるため、料理の味も他の加熱方法に比べて円やかになる。さらに熱の伝達に利用したお湯も再使用できるという利点がある。
【符号の説明】
【００２５】
１  コンロ本体
１０  第一調理部
１２  筒状体
１４  火皿
１６  固体燃料
１８  焼網
２０  第二調理部
２２  チロリ  
３０  給水口
３４  水の循環路
４０  吸気口
５０  注ぎ口
６０  熱伝導体
７０  空気供給路
８０  提手
【図１】
0003193322.tif 000003
【図２】
0003193322.tif 000004
【図３】
0003193322.tif 000005
【図４】
0003193322.tif 000006
【図５】
0003193322.tif 000007